(57)【要約】【課題】本発明は、コンテンツ単位でのセキュリティが保たれるばかりでなく、コンテンツの秘匿性をも保つことが可能な記録装置、記録方法、再生装置及び再生方法を提供する。【解決手段】セキュリティ付きコンテンツの記録命令を受けると、データプロセッサ２１は、光ディスク２の第１管理領域１０２へ入力されたパスワードを、記録可能ユーザ領域１０６へコンテンツを、そして、第２管理領域１０１へコンテンツが書き込まれたアドレスを記録する。次に、セキュリティ付きコンテンツの読出命令を受けると、データプロセッサ２１は、光ディスク２の第１管理領域からパスワードを読出し、照合の結果、一致すると、対応する第２管理領域へのアクセス可能となり、第２管理領域からコンテンツデータが記録されているアドレスを読出し、読出し対象のコンテンツを再生する。【選択図】　図３
2004030779.tif 000002
【特許請求の範囲】
【請求項１】
コンテンツデータが記録されるデータ領域と、前記コンテンツデータが記録された領域のアドレスデータが少なくとも記録される管理領域とを有する光ディスクに対してコンテンツデータの記録を行う記録装置において、
前記光ディスクに対して入力されたコンテンツデータを記録する際に、前記管理領域における前記コンテンツデータに対応する第１の管理領域に前記コンテンツデータのアドレスデータが記録された記録領域へのアクセスに対する条件を記録する設定手段と、
前記光ディスクに対して入力されたコンテンツデータを記録する際に、前記管理領域における前記第１の管理領域とは異なる第２の管理領域に前記コンテンツデータのアドレスデータを記録する記録手段と、
を有することを特徴とする記録装置。
【請求項２】
コンテンツデータが記録されるデータ領域と、前記コンテンツデータが記録された領域のアドレスデータが少なくとも記録される管理領域とを有する光ディスクに対してコンテンツデータの記録を行う記録装置において、
前記光ディスクに対して入力されたコンテンツデータを記録する際に、前記管理領域における前記コンテンツデータに対応する第１の管理領域に前記コンテンツデータのアドレスデータが記録された記録領域へのアクセスに対する条件としてパスワードを記録する設定手段と、
前記光ディスクに対して入力されたコンテンツデータを記録する際に、前記管理領域における前記第１の管理領域とは異なる第２の管理領域に前記コンテンツデータのアドレスデータを記録する記録手段と、
を有することを特徴とする記録装置。
【請求項３】
前記記録手段は、前記第２の管理領域にアドレスデータを記録する際には前記第１の管理領域に記載するフォーマットと異なったフォーマットで記録することを特徴とする請求項１または２のいずれか記載の記録装置。
【請求項４】
コンテンツデータが記録されるデータ領域と、前記コンテンツデータが記録された領域のアドレスデータが少なくとも記録される管理領域とを有する光ディスクに対してコンテンツデータの記録を行う記録方法において、
前記光ディスクに対して入力されたコンテンツデータを記録する際に、前記管理領域における前記コンテンツデータに対応する第１の管理領域には前記コンテンツデータのアドレスデータが記録された記録領域へのアクセスに対する条件を記録し、前記管理領域における前記第１の管理領域とは異なる第２の管理領域に前記コンテンツデータのアドレスデータを記録することを特徴とする記録方法。
【請求項５】
コンテンツデータが記録されるデータ領域と、前記コンテンツデータが記録された領域のアドレスデータが少なくとも記録される管理領域とを有する光ディスクに対してコンテンツデータの記録を行う記録方法において、
前記光ディスクに対して入力されたコンテンツデータを記録する際に、前記管理領域における前記コンテンツデータに対応する第１の管理領域には前記コンテンツデータのアドレスデータが記録された記録領域へのアクセスに対する条件としてパスワードを記録し、前記管理領域における前記第１の管理領域とは異なる第２の管理領域に前記コンテンツデータのアドレスデータを記録することを特徴とする記録方法。
【請求項６】
前記第２の管理領域にアドレスデータを記録する際には前記第１の管理領域に記載するフォーマットと異なったフォーマットで記録することを特徴とする請求項４または請求項５のいずれか記載の記録方法。
【請求項７】
コンテンツデータが記録されたデータ領域と、前記コンテンツデータが記録された領域のアドレスデータが少なくとも記録された管理領域とを有し、この管理領域の対応する第１の管理領域に、前記コンテンツデータのアドレスデータが記録された記録領域へのアクセスに対する条件が記録されており、前記管理領域における前記第１の管理領域とは異なる第２の管理領域に前記コンテンツデータのアドレスデータが記録された光ディスクからコンテンツデータの再生を行う再生装置において、
前記管理領域の所定の箇所に設けられた前記第１の管理領域にアクセスし、前記第１の管理領域に記録されている条件を読出す読出手段と、
この読出手段によって読み出された条件を満足しているかを判定する判定手段と、
この判定手段の判定の結果、条件を満足していると判定されると、前記第２の管理領域にアクセスし、前記第２の管理領域に記録されたアドレスデータに基づいてコンテンツデータを再生する再生手段と、
を有することを特徴とする再生装置。
【請求項８】
前記判定手段の判定の結果、条件を満足していないと判定されると、前記管理領域における前記コンテンツとは異なる他のコンテンツに対応した前記第１の管理領域へのアクセスを実行する制御手段を有することを特徴とする請求項７記載の再生装置。
【請求項９】
前記判定手段は、
前記読出し手段により、前記第１の管理領域に記憶されている条件としてパスワードが読み出された場合には、外部より入力された情報と前記パスワードとを照合することにより、条件を満たしているかを判定するものであることを特徴とする請求項７記載の再生装置。
【請求項１０】
コンテンツデータが記録されたデータ領域と、前記コンテンツデータが記録された領域のアドレスデータが少なくとも記録された管理領域とを有し、この管理領域の対応する第１の管理領域に、前記コンテンツデータのアドレスデータが記録された記録領域へのアクセスに対する条件が記録されており、前記管理領域における前記第１の管理領域とは異なる第２の管理領域に前記コンテンツデータのアドレスデータが記録された光ディスクからコンテンツデータの再生を行う再生方法において、
前記管理領域の所定の箇所に設けられた前記第１の管理領域にアクセスし、前記第１の管理領域に記録されている条件を読出すステップと、
この読出された条件と入力情報とを比較し、前記条件を満足しているかを判定するステップと、
この判定の結果、条件を満足していると判定されると、前記第２の管理領域にアクセスするステップと、
このアクセスにより前記第２の管理領域に記録されたアドレスデータに基づいてコンテンツデータを再生するステップと、
を有することを特徴とする再生方法。
【請求項１１】
前記判定ステップの判定の結果、条件を満足していないと判定されると、前記管理領域における前記コンテンツとは異なる他のコンテンツに対応した前記第１の管理領域へのアクセスを実行するステップを有することを特徴とする請求項１０記載の再生方法。
【請求項１２】
前記判定ステップは、
前記読出ステップにより、前記第１の管理領域に記憶されている条件としてパスワードが読み出された場合には、外部より入力された情報と前記パスワードとを照合することにより、条件を満たしているかを判定するものであることを特徴とする請求項１０記載の再生方法。
【発明の詳細な説明】
【０００１】
【発明の属する技術分野】
本発明は、光ディスクなどの記録媒体に情報を記録する記録装置、及び情報が記録された記録媒体を再生する再生装置に係り、特に記録された情報の秘匿性及びセキュリティを確保する記録装置、記録方法、再生装置及び再生方法に関する。
【０００２】
【従来の技術】
近年、コンパクトディスク（以下、ＣＤという）、ミニディスク（以下、ＭＤという）などのディスク媒体を使用してデータの読出しや書き込みを行う記録再生装置が広く普及している。このような記録再生装置においては、ディスク媒体され入手できれば、そのディスク媒体に記録されている情報に対して容易にアクセスすることができ、機密情報を容易に盗用及び改ざんすることができるという問題が生じていた。
【０００３】
このような問題点を解決するため、例えば従来の技術として、特開平１１−２３８３０６号公報には、ディスクに対してセキュリティ領域を新たに設け、このセキュリティ領域に識別記号を予め記録させておき、この識別記号をディスク装置にも書き込んでおき、ディスク装置にディスクが挿入された時に、そのディスク装置に書き込まれた識別記号とディスクに予め記録された識別記号とを比較して、一致すれば当該ディスクの読み書きが可能となり、一致しなければ当該ディスクへのアクセスを禁止する制御が開示されている。
【０００４】
【発明が解決しようとする課題】
しかしながら、従来の装置では、予め対応関係の取られたディスク装置しかディスクへアクセスできないので、セキュリティは確保されているが、反面、対応関係の取られたディスク装置を用いればディスクに書き込まれたコンテンツ全てにアクセスすることができています。
即ち、従来の装置では、ディスク単位でのセキュリティは確保されているが、ディスクに書き込まれたコンテンツ単位でのセキュリティは全く考慮されていない。
【０００５】
本発明は、以上の点に鑑みなされたもので、コンテンツ単位でのセキュリティが保たれるばかりでなく、コンテンツの秘匿性をも保つことが可能な記録装置、記録方法、再生装置及び再生方法を提供することを目的とする。
【０００６】
【課題を解決するための手段】
上記目的を達成するために、本発明の記録装置は、コンテンツデータが記録されるデータ領域と、前記コンテンツデータが記録された領域のアドレスデータが少なくとも記録される管理領域とを有する光ディスクに対してコンテンツデータの記録を行う記録装置において、前記光ディスクに対して入力されたコンテンツデータを記録する際に、前記管理領域における前記コンテンツデータに対応する第１の管理領域に前記コンテンツデータのアドレスデータが記録された記録領域へのアクセスに対する条件を記録する設定手段と、前記光ディスクに対して入力されたコンテンツデータを記録する際に、前記管理領域における前記第１の管理領域とは異なる第２の管理領域に前記コンテンツデータのアドレスデータを記録する記録手段と、を有することを特徴とする。
【０００７】
上記目的を達成するために、本発明の記録方法は、コンテンツデータが記録されるデータ領域と、前記コンテンツデータが記録された領域のアドレスデータが少なくとも記録される管理領域とを有する光ディスクに対してコンテンツデータの記録を行う記録方法において、前記光ディスクに対して入力されたコンテンツデータを記録する際に、前記管理領域における前記コンテンツデータに対応する第１の管理領域には前記コンテンツデータのアドレスデータが記録された記録領域へのアクセスに対する条件を記録し、前記管理領域における前記第１の管理領域とは異なる第２の管理領域に前記コンテンツデータのアドレスデータを記録することを特徴とする。
【０００８】
上記目的を達成するために、本発明の再生装置は、コンテンツデータが記録されたデータ領域と、前記コンテンツデータが記録された領域のアドレスデータが少なくとも記録された管理領域とを有し、この管理領域の対応する第１の管理領域に、前記コンテンツデータのアドレスデータが記録された記録領域へのアクセスに対する条件が記録されており、前記管理領域における前記第１の管理領域とは異なる第２の管理領域に前記コンテンツデータのアドレスデータが記録された光ディスクからコンテンツデータの再生を行う再生装置において、前記管理領域の所定の箇所に設けられた前記第１の管理領域にアクセスし、前記第１の管理領域に記録されている条件を読出す読出手段と、この読出手段によって読み出された条件を満足しているかを判定する判定手段と、この判定手段の判定の結果、条件を満足していると判定されると、前記第２の管理領域にアクセスし、前記第２の管理領域に記録されたアドレスデータに基づいてコンテンツデータを再生する再生手段と、を有することを特徴とする。
【０００９】
上記目的を達成するために、本発明の再生方法は、コンテンツデータが記録されたデータ領域と、前記コンテンツデータが記録された領域のアドレスデータが少なくとも記録された管理領域とを有し、この管理領域の対応する第１の管理領域に、前記コンテンツデータのアドレスデータが記録された記録領域へのアクセスに対する条件が記録されており、前記管理領域における前記第１の管理領域とは異なる第２の管理領域に前記コンテンツデータのアドレスデータが記録された光ディスクからコンテンツデータの再生を行う再生方法において、前記管理領域の所定の箇所に設けられた前記第１の管理領域にアクセスし、前記第１の管理領域に記録されている条件を読出すステップと、この読み出された条件と入力情報とを比較し、前記条件を満足しているかを判定するステップと、この判定の結果、条件を満足していると判定されると、前記第２の管理領域にアクセスするステップと、このアクセスにより前記第２の管理領域に記録されたアドレスデータに基づいてコンテンツデータを再生するステップと、を有することを特徴とする。
【００１０】
【発明の実施の形態】
以下、本発明に係る実施の形態について図面を参照して詳細に説明する。図１は、本発明の一実施の形態に係る記録方法及び再生方法を実行する光ディスク装置１の構成を示す斜視図である。この光ディスク装置１は、例えば図２に示すようなノートブックタイプのような小型パーソナルコンピュータ等の情報処理装置に組み込まれて利用されるものである。
【００１１】
図１に示す光ディスク装置１は、図示しないディスクを駆動及び再生するためのディスク駆動ユニットが搭載された可動体であるトレー１０と、このトレー１０を収納可能な筐体としてのキャビネット１１とから構成されている。キャビネット１１は上側キャビネットと下側キャビネットとから構成されているが、同図では上側キャビネットの図示は省略してある。
【００１２】
トレー１０は、キャビネット１１に対して矢印Ａ方向に出し入れ自在である。即ち、キャビネット１１の両側内壁にはトレー１０をガイド支持するための断面コの字状のガイドレール１２が各々固定されており、これらのガイドレール１２に、トレー１０の両側に設けられたガイド突起１３が、スライドレール１４を介して各々嵌め込まれた形態で支持されている。
【００１３】
トレー１０には、光ディスク２の外形に対応し窪んだ形状に形成されているディスク搭載部１５と、図示せぬディスクモータとターンテーブル１６等のディスク駆動機構に加え、回転する光ディスク２の記録領域にレーザ光を照射してその反射光を取り込むことで光ディスク２にデータを記録、または光ディスク２からデータを読み出す光学式ピックアップ１７や、この光学式ピックアップ１７を光ディスク２の半径方向に搬送する後述するスレッドモーター３３及び駆動回路３２等を含むピックアップ送り機構が設けられている。
【００１４】
このディスク駆動機構とピックアップ送り機構は、単一のメカシャーシ１８上に搭載されており、このメカシャーシ１８は、トレー１０にダンパーゴム等の防振部材を介してフローティング構造で支持されている。
【００１５】
更に、トレー１０の排出方向における先端部分には、光ディスク２の記録／再生時等においてトレー１０のキャビネット１１内への収納状態を保持するとともに、光ディスク２の交換時等にイジェクトボタン１９を押すことによりキャビネット１１からトレー１０をイジェクトさせるイジェクトロック機構２０が設けられている。
【００１６】
図３は、本発明の記録方法、再生方法を実行可能な光ディスク装置１（あるいは、光ディスク装置１を組み込んだ情報処理装置）の回路ブロック図を概略的に示すものである。
【００１７】
尚、本実施の形態では、本発明の記録方法、再生方法を実施するための後述するフローチャートに基づくプログラム処理を光ディスク装置１が保持し実行する形態として説明するが、これに限らず図２に示す情報処理装置が保持し、この指示のもと光ディスク装置１に実行させる形態としても同様の効果を有するため、こちらの説明は省略する。
【００１８】
また、本実施の形態では、例えばＣＤ−Ｒ、−ＲＷ、ＤＶＤ−Ｒ、−ＲＷ等の方式の光ディスクに対してデータを記録及び再生可能な光ディスク記録再生装置からなる光ディスク装置を用いて説明する。
【００１９】
図３に示す光ディスク装置１は、回転する光ディスク２に対して所定レベルのレーザ光を照射することにより、光ディスク２の記録領域に情報を記録することができる。また、回転する光ディスク２に対して所定レベルのレーザ光を照射し、光ディスク２の記録領域に形成されたトラックからの反射光を処理することにより、光ディスク２から情報を読み取ることができる。
【００２０】
これら記録または再生の一連の処理はデータプロセッサ２１の指令に基づいて駆動されるディスクドライブ２２によって制御されている。
【００２１】
光ディスク２は、後述するように、そのディスクにどのデータが記録されているかを示すファイルシステム（コンテンツの管理情報等）を記録する第１管理領域１０２と、この第１管理領域の内周部分に、コンテンツの制御情報を記録する第２管理領域１０１と、コンテンツを記録する記録領域１０３とから構成されている。
【００２２】
データプロセッサ２１は、外部からの記録命令が入力されると、ディスクドライバ２２を介して光ディスク２の第１及び第２管理領域１０１、１０２から管理データを読み出し、データを書き込む領域を決定する。
【００２３】
エンコーダ２３は、外部から入力されたＡＶ入力信号に処理を施して、データプロセッサ２１へと出力する。データプロセッサ２１は、エンコーダ２３から出力されたデータをディスクドライブ２２に出力し、ディスクドライブ２２では光ディスク２における決定した領域のスタートアドレスからデータを記録する。
【００２４】
そして、データ記録が終わると、光ディスク２の第１及び第２管理領域１０１、１０２にアドレスデータをはじめとする必要な管理情報を記憶し、記録動作を終了するようになっている。
【００２５】
また、データプロセッサ２１は、外部からの再生命令が入力されると、ディスクドライバ２２を介して光ディスク２の第１及び第２管理領域１０１、１０２から管理データを読み出し、データ再生を行うアドレスを決定する。
【００２６】
ディスクドライバ２２は、決定したアドレスからデータを読取り、データプロセッサ２１へと出力する。データプロセッサ２１は、ディスクドライバ２２から出力されたデータをデコーダ２４に出力し、デコーダ２４は処理を施した後、ＡＶ出力信号を出力する。
【００２７】
また、データプロセッサ２１は、ディスクドライバ２２を介して管理領域１００から読み取ったパスワードが入力されると、まず後段に接続された照合部２５へと出力し、その他の管理情報をアクセス制御部２６へ出力する。
【００２８】
照合部２５では、外部から入力されたパスワードを、データプロセッサ２１から入力されたパスワードを照合し、照合結果をアクセス制御部２６及び再生制御部２７へと出力する。
【００２９】
アクセス制御部２６は、照合部２５から照合一致の結果、アクセス許可命令を受信すると、再生制御部２７へ管理情報を出力する。再生制御部２７は、照合部２５からアクセス許可命令を受信すると、データプロセッサ２１へ管理情報を含む再生要求信号を出力する。
【００３０】
再生制御部２７からコンテンツの再生要求信号がデータプロセッサ２１に入力されると、データプロセッサ２１は、光ディスク２から読み取ったコンテンツに関するデータを、後段に接続されたデコーダ２５へと出力する。そして、デコーダ２５は、入力されたコンテンツに関するデータをＡＶデータに変換して出力するようになっている。
【００３１】
次に、図４を用いて、情報を記録可能な光ディスク２における記録領域の構成について説明する。図４は、光ディスク２の半径方向に対する記録領域の配置を示す概念図で、図４（ａ）は記録途中の状態を示し、図４（ｂ）は再生可能な状態を示す。
【００３２】
尚、本実施例では、ＣＤ−Ｒディスク、ＣＤ−ＲＷディスク、ＤＶＤ−Ｒディスク、ＤＶＤ−ＲＷに採用されている配置を使用して、代表してＣＤ−ＲＷディスクで説明していく。
【００３３】
光ディスク２は、その内周から外周にかけて、順に、第２管理領域１０１からなる記録情報領域１００と、第１管理領域１０２を含む記録可能ユーザ領域１０６が配置されている。
【００３４】
また、このような光ディスク２の記録可能ユーザ領域１０６にコンテンツ等のデータを記録することによって、記録情報領域１００に続いてリードイン領域１０４が配置され、続けてデータが書き込まれたプログラム領域１０５、更には、リードアウト領域１０６からなる情報部分１０３が配置されることとなる。
【００３５】
プログラム領域１０５は、データが記録される領域である。リードイン領域１０４は、プログラム領域１０５の内側に隣接して設けられている。リードアウト領域１０６は、プログラム領域１０５の外側に隣接して設けられている。
【００３６】
リードイン領域１０４、リードアウト領域１０６は、書き込まれたデータを再生可能な状態とする場合に書き込まれる領域で、これにより、プログラム領域１０５に記録されたデータを再生することが可能となる。
【００３７】
第１管理領域１０２は、例えばコンテンツの管理情報など、そのディスクにどのデータが記録されているかを示すファイルシステムが記録されている。この第１管理領域の内側に設けられた第２管理領域１０１は、必要に応じてコンテンツの制御情報が記録されている。
【００３８】
この第２管理領域１０１は、第１管理領域１０２の内側に設けられた、データを書き込む際にレーザ光の出力を確認するための出力較正領域（ＰＣＡ）や、プログラムメモリエリア（ＰＭＡ）の一部に記録されている。
【００３９】
このように、リードイン領域１０４や、リードアウト領域１０６や、出力較正領域、ＰＭＡなどのドライブもしくはディスクのために用意されている領域（ユーザが使用できない領域）を、第２管理領域として使用することにより、ユーザによって認識されることなく、より一層コンテンツの秘匿性を保つことが可能となる。
【００４０】
尚、ＤＶＤ−Ｒディスク、ＤＶＤ−ＲＷディスクの場合は、リードイン領域の内側にＲ−Ｉｎｆｏｒｍａｔｉｏｎ　Ａｒｅａという領域が設けられおり、この領域に本実施の形態における第２管理領域を設けても良い。
【００４１】
また、ＤＶＤ−ＲＡＭディスクでは、リードイン領域にあるＤｉｓｃ　Ｔｅｓｔ　Ｚｏｎｅや、Ｄｒｉｖｅ　Ｔｅｓｔ　Ｚｏｎｅという領域が設けられおり、この領域に本実施の形態における第２管理領域を設けても良い。
【００４２】
図５は、第１管理領域１０２と第２管理領域１０１の記録内容について説明するための図である。
【００４３】
図５に示すように、パスワードが設定されていない（ユーザのアクセスに対するセキュリティをかけていない）通常のコンテンツの場合、対応した第１管理領域には、コンテンツのアドレスを含むコンテンツの管理情報が記録され、対応した第２管理領域には、必要に応じてコンテンツの制御情報が記録される。
【００４４】
また、パスワード等のアクセス条件が設定されたセキュリティ付きコンテンツの場合、対応した第１管理領域には、パスワード等からなるアクセス制御情報が記録され、対応した第２管理領域には、コンテンツのアドレスを含む管理情報と、その他の制御情報が記録される。
【００４５】
即ち、本実施の形態では、セキュリティ付きコンテンツを記録する際には、第１管理領域には、コンテンツのディレクトリ構造であるパステーブルや実際に記録されている論理セクタ（アドレスデータ）等のファイルの検索に用いられる情報（管理情報）を記憶せず、第２管理領域に記録する。
【００４６】
従って、光ディスク２へ通常のコンテンツを書き込む場合には、光ディスク装置１は、第１管理領域１０２に書き込みを開始するコンテンツのアドレス等からなる管理情報を記録し、このアドレスからコンテンツを記録していき、コンテンツの記録が終了すると、第２管理領域１０１に制御情報を記録する。
【００４７】
また、光ディスク２へセキュリティ付きのコンテンツを書き込む場合には、光ディスク装置１は、対応する第２管理領域１０１にアクセスするための条件であるアクセス制御情報（例えばパスワード等）を第１管理領域１０２に記録し、光ディスク２上の所定の箇所にコンテンツを書き込み、第２管理領域１０１に書き込んだコンテンツのアドレス等からなる管理情報及びその他制御情報を記録する。
【００４８】
また、光ディスク２から通常のコンテンツを読み出す場合には、光ディスク装置１は、まず第１管理領域１０２にアクセスし、目的とするコンテンツの管理情報に基づいてコンテンツを再生する。
【００４９】
また、セキュリティ付きのコンテンツを読み出す場合には、光ディスク装置１は、まず第１管理領域１０２にアクセスし、アクセス制御情報を満足しているか確認する。すなわち、パスワードが記録されていれば、パスワード照合を行う。
【００５０】
アクセス制御情報を満足している場合（例えばパスワードが一致した場合）、第２管理領域１０１へアクセス可能となり、第２管理領域１０１に記録されたコンテンツのアドレス等の管理情報に基づいて、目的のコンテンツを再生する。
【００５１】
アクセス制御情報を満足していなかった場合（例えばパスワードが一致しなかった場合）、当該コンテンツが存在しているのか否か、光ディスク２のどの領域に記録されているのか、全く判明することなく、アクセスが禁止される。
【００５２】
また、仮に第２管理領域を読まれてしまった場合を考慮して、コンテンツの管理情報の内容が第三者に容易に認識されないように、記録するディスクの第１管理領域のフォーマットとは異なるフォーマットで第２管理領域を記録することで、コンテンツの秘匿性やセキュリティが更に高く保たれることとなる。
【００５３】
即ち、第１管理領域がＵＤＦ（Ｕｎｉｖｅｒｓａｌ　Ｄｉｓｃ　Ｆｏｒｍａｔ）で管理されている光ディスク２においては、第２管理領域は、主にパーソナルコンピュータに用いられる媒体に適用されたＦＡＴ（Ｆｉｌｅ　Ａｓｏｃｉａｔｉｏｎ　Ｔａｂｌｅ）等を使用して記録してもよい。更には、第２管理領域に記録するデータに暗号処理を施して記録してもよい。
【００５４】
次に、図６は、光ディスク２に対してＩＳＯ９６６０フォーマットでコンテンツを記録する場合の、第１管理領域の構造を示す図である。
【００５５】
図６に示すように、第１管理領域１０２においては、先頭１６セクタはシステムエリアとして予約されており、通常使用されていない。そして、このシステムエリア以降に各種コンテンツの管理情報等のファイルシステムが記録されている。
【００５６】
本実施の形態では、特にセキュリティ付きのコンテンツを記録する場合には、この第１管理領域１０２の先頭１６セクタにアクセス制御情報を記録している。たとえば、このアクセス制御情報として４桁の数字が入力された場合、システムエリアの最初の４セクタの先頭データにそれぞれ一文字ずつ格納する。これにより、アクセス制御情報を既存の第１管理領域に記録することが可能となる。
【００５７】
次に、図７に示すフローチャートを用いて、光ディスク装置１によって光ディスク２に対してセキュリティ付きのコンテンツを書き込む記録方法の手順を説明する。
【００５８】
まず、光ディスク装置１のデータプロセッサ２１は、外部からの記録命令とともに、アクセス制御情報、例えば４文字の数字からなるパスワード「０１２３」が入力されると（ＳＴ１１）、ディスクドライバ２２を介して第１管理領域１０２へアクセスし（ＳＴ１２）、第１管理領域１０２の所定の箇所に、ＳＴ１１で入力されたアクセス制御情報を記録する（ＳＴ１３、図６参照）。
【００５９】
ＳＴ１３による第１管理領域１０２へのアクセス制御情報の記録が終了すると、次にデータプロセッサ２１は、ディスクドライバ２２を介して記録可能ユーザ領域１０６へとアクセスし（ＳＴ１４）、エンコード２３から入力されたコンテンツのデータを記録する（ＳＴ１５）。
【００６０】
ＳＴ１５のコンテンツの記録が終了すると（ＳＴ１６）、次にデータプロセッサ２１は、ディスクドライバ２２を介して第２管理領域１０１へとアクセスし（ＳＴ１７）、第２管理領域１０１にコンテンツが書き込まれたアドレスをはじめとするコンテンツの管理情報を記録し（ＳＴ１８）、コンテンツの書き込み処理を終了する。
【００６１】
次に、図８に示すフローチャートを用いて、光ディスク装置１によって光ディスク２からセキュリティ付きのコンテンツを読み出す再生方法の手順を説明する。
【００６２】
まず、光ディスク２が充填され、外部からの再生命令が入力されると、光ディスク装置１のデータプロセッサ２１は、再生制御部からの指示に基づいて、ディスクドライブ２２を介して光ディスク２へレーザ光を照射し、第１管理領域１０２へアクセスする（ＳＴ３１）。
【００６３】
データプロセッサ２１は、ＳＴ３１で読み取った第１管理領域１０２の所定箇所にアクセス制御情報が記録されており、パスワード等のアクセス制御情報が設定されていた場合（ＳＴ３２のＹｅｓ）、第１管理領域１０２に記録されたアクセス制御情報を照合部２５へと転送する（ＳＴ３５）。
【００６４】
照合部２５は、データプロセッサ２１からアクセス制御情報が入力されると、別途入力されたパスワードとの照合を実施する（ＳＴ３６）。
【００６５】
この際、照合部２５からの照合結果が出るまでの間（即ち照合部２５からアクセス許可命令が出るまでの間）、仮に第２管理領域１０１へのアクセス命令が入力され、ディスクドライバ２２を介してデータプロセッサ２１から第２管理領域１０１のデータが出力されたとしても、アクセス制御部２６にてブロックされ、再生制御部２７へデータ転送されないようになっている。
【００６６】
ＳＴ３６の照合の結果、アクセス制御情報と入力されたパスワードが一致したと判断されると（ＳＴ３７）、照合部２５からアクセス制御部２６へアクセス許可命令が出力される。このアクセス許可命令を受けて、アクセス制御部２６は、データプロセッサ２１から入力されていた第２管理領域１０１に記録されていたデータを再生制御部２７へと出力する。
【００６７】
その結果、第２管理領域１０１に記録されたコンテンツの管理情報を認識でき、コンテンツの所在が認識可能となる（ＳＴ３８）。
【００６８】
そして、再生制御部２７は、第２管理領域１０１に記録されたコンテンツの管理情報を参照し、この管理情報の基づいて、データプロセッサ２１にコンテンツ再生要求信号を出力する（ＳＴ３９）。
【００６９】
その結果、データプロセッサ２１は、ディスクドライバ２２を介して、コンテンツ再生要求信号で指示された、光ディスク２の記録部分１０３のアドレスへとアクセスし、対応するアドレスに記録されたデータをデコーダ２５へ供給し、読出し対象のコンテンツを再生する（ＳＴ４０）。
【００７０】
ＳＴ３２にて、第１管理領域１０２にアクセス制御情報が設定されていなかった場合には（ＳＴ３２）、データプロセッサ２１から、第１管理領域１０２に記録されたコンテンツの管理情報がアクセス制御部２６、更には再生制御部２７へと出力される。
【００７１】
そして、再生制御部２７は、第１管理領域１０２に記録されたコンテンツの管理情報を参照し、この管理情報の基づいて、データプロセッサ２１にコンテンツ再生要求信号を出力する（ＳＴ３３）。
【００７２】
そして、データプロセッサ２１は、第１管理領域１０２に記録されたコンテンツの管理情報に基づいて（ＳＴ３３）、コンテンツ再生要求信号で指示された、光ディスク２の記録部分１０３のアドレスへとアクセスし、対応するアドレスに記録されたデータをデコーダ２５へ供給し、読出し対象のコンテンツを再生する（ＳＴ４０）。
【００７３】
また、ＳＴ３６の照合の結果、一致しなかったと判断された場合には（ＳＴ３７）、第１管理領域の他の部分に記録されたコンテンツの管理情報を参照し（ＳＴ３３）、他のセキュリティが設定されていない通常のコンテンツの再生処理を実行する（ＳＴ４０）。
【００７４】
本実施の形態では、コンテンツの再生／検索に用いられるアドレス等の管理情報を（第１の管理領域は使用せずに）第２の管理領域に記録させており、更に第２の管理領域へのアクセスを制御するためのアクセス制御情報（例えばパスワード等）を第１の管理領域に記録しておくことにより、秘匿性をもつコンテンツは、他人からはあたかもないように見えるという効果を奏する。
【００７５】
【発明の効果】
以上説明したように、本発明によれば、コンテンツ単位でのセキュリティが保たれるばかりでなく、コンテンツの秘匿性をも保つことができる。
【図面の簡単な説明】
【図１】本発明の一実施の形態に係る光ディスク装置１の構成を示す斜視図。
【図２】光ディスク装置１を搭載した小型パーソナルコンピュータを示す斜視図。
【図３】光ディスク装置１の概略的な回路ブロック図。
【図４】光ディスク２の半径方向に対して記録領域の配置を示す概念図。
【図５】第１管理領域１０２及び第２管理領域１０１に記録される情報を説明する図。
【図６】第１管理領域１０２の構造を示す図。
【図７】光ディスク装置１による記録時のフローチャート図。
【図８】光ディスク装置１による再生時のフローチャート図。
【符号の説明】
１　　光ディスク装置
２　　光ディスク
１０１　　第２管理領域
１０２　　第１管理領域
１０６　　記録可能ユーザ領域
【図１】
2004030779.tif 000003
【図２】
2004030779.tif 000004
【図３】
2004030779.tif 000005
【図４】
2004030779.tif 000006
【図５】
2004030779.tif 000007
【図６】
2004030779.tif 000008
【図７】
2004030779.tif 000009
【図８】
2004030779.tif 000010